(57)【特許請求の範囲】
【請求項１】
プレーヤ本体部が弾性部材にて外枠シャーシ内で可動に支持されて成るディスクプレーヤであって、前記プレーヤ本体部は、前記弾性部材に連結された基台部と、ディスクの面に対して接近および離間するように前記基台部に対して移動可能に設けられた可動板とから成り、前記基台部には、ディスク収容保持部と、ディスクの装填と取出のために前記ディスク収容保持部をディスク挿入口側から奥側へ引き込む動作及び奥側からディスク挿入口側へと移動させる動作を行うローディング機構と、前記ディスク収容保持部がディスクを引き込んでいるときに前記可動板をディスクに接近させてそのクランプを行わせ、前記ディスク収容保持部が移動する時には前記可動板をディスクから離間させてそのアンクランプを行わせる可動板駆動部材と、前記ディスク収容保持部の移動方向および前記可動板の移動方向の双方に直交する方向に移動し、前記可動板駆動部材およびローディング機構を操作するラック部材とが備えられ、
前記外枠シャーシには、ディスク収容保持部に形成された第１突起に係合し当該第１突起をディスク収容保持部の移動方向に長い第１溝と、前記ラック部材に形成された第２突起に係合し当該第２突起をラック部材の移動方向に長い第２溝とが形成され、前記第１溝および第２溝は、ディスクがクランプされるときに前記第１突起および第２突起が位置する領域では前記プレーヤ本体部の移動が可能なように幅広く形成され、ディスク収容保持部がディスク挿入口側に移動したときに前記第１突起および第２突起が位置する領域では前記プレーヤ本体部の移動を規制するように幅狭く形成されていることを特徴とするディスクプレーヤ。
【請求項２】
前記ラック部材に設けられた係合溝と、前記ローディング機構に形成された前記係合溝に係合する突起とを備え、前記ディスク収容保持部がピックアップ対応位置に引き込まれたときに前記係合溝と前記突起が係合することを特徴とする請求項１に記載のディスクプレーヤ。
【発明の詳細な説明】
【０００１】
【発明の属する技術分野】
本発明は、プレーヤ本体部が弾性部材にて外枠シャーシ内で可動に支持されて成るディスクプレーヤに関する。
【０００２】
【従来の技術】
外部から振動が加えられる環境下で用いられるディスクプレーヤは、その再生動作が前記振動にて悪影響を受けることのないように構成されている。具体的には、このようなディスクプレーヤは、例えば車体などに直にねじ止めされて当該車体の振動を直に受けることになる外枠シャーシと、光ピックアップやディスク装填機構などを備えて構成されるプレーヤ本体部とを別体構成とし、前記外枠シャーシ内に前記プレーヤ本体部を配置し、これら外枠シャーシとプレーヤ本体部とを弾性部材で連結した構造になっている。
【０００３】
ところで、このような構造を有するディスクプレーヤでは、ディスクのローディング時あるいはアンローディング時にもプレーヤ本体部の移動が許されることになり、このような移動が許された状態でディスクのローディング等がなされてしまうと、ディスクの損傷やローディング不良といった問題を招来する。
【０００４】
そこで、かかる問題を解決する技術として、特開平４−４６７１号公報には、ディスクのローディング時において、プレーヤ本体部が外枠シャーシに実質的に固定支持されるように、プレーヤ本体部に設けた被ロック部および外枠シャーシに設けた被ロック部に選択的に係合するロック機構を備えたものが提案されている。
【０００５】
【発明が解決しようとする課題】
しかしながら、上記従来の技術は、前記プレーヤ本体部および外枠シャーシがそれぞれ被ロック部を備えるとともに、それらとロック部との係合および非係合をディスクのローディング動作に連動させるために複雑な機構を備えなければならず、部品点数の増加や組立工程の複雑化を招くという欠点を有している。
【０００６】
この発明は、上記の事情に鑑み、簡単な機構でディスクのローディング時などにおいてプレーヤ本体部を外枠シャーシに実質的に固定支持させることができるディスクプレーヤを提供することを目的とする。
【０００７】
【課題を解決するための手段】
この発明のディスクプレーヤは、上記の課題を解決するために、プレーヤ本体部が弾性部材にて外枠シャーシ内で可動に支持されて成るディスクプレーヤであって、前記プレーヤ本体部は、前記弾性部材に連結された基台部と、ディスクの面に対して接近および離間するように前記基台部に対して移動可能に設けられた可動板とから成り、前記基台部には、ディスク収容保持部と、ディスクの装填と取出のために前記ディスク収容保持部をディスク挿入口側から奥側へ引き込む動作及び奥側からディスク挿入口側へと移動させる動作を行うローディング機構と、前記ディスク収容保持部がディスクを引き込んでいるときに前記可動板をディスクに接近させてそのクランプを行わせ、前記ディスク収容保持部が移動する時には前記可動板をディスクから離間させてそのアンクランプを行わせる可動板駆動部材と、前記ディスク収容保持部の移動方向および前記可動板の移動方向の双方に直交する方向に移動し、前記可動板駆動部材およびローディング機構を操作するラック部材とが備えられ、前記外枠シャーシには、ディスク収容保持部に形成された第１突起に係合し当該第１突起をディスク収容保持部の移動方向に長い第１溝と、前記ラック部材に形成された第２突起に係合し当該第２突起をラック部材の移動方向に長い第２溝とが形成され、前記第１溝および第２溝は、ディスクがクランプされるときに前記第１突起および第２突起が位置する領域では前記プレーヤ本体部の移動が可能なように幅広く形成され、ディスク収容保持部がディスク挿入口側に移動したときに前記第１突起および第２突起が位置する領域では前記プレーヤ本体部の移動を規制するように幅狭く形成されていることを特徴とする。
【０００８】
上記の構成であれば、ディスクのローディング時やアンローディング時において、前記第１突起および第２突起は互いに直交する第１溝および第２溝の幅狭く形成された部分にそれぞれ位置するので、溝幅方向（プレーヤ本体部の厚み方向を上下方向とすると、当該溝幅方向は左右方向および前後方向といえる）におけるプレーヤ本体部の移動が規制されることになる。従って、ディスクのローディング時やアンローディング時においては、当該移動規制により、プレーヤ本体部は外枠シャーシに実質的に略固定支持されたことになり、ディスクの損傷やローディング不良が防止される。一方、ディスク収容保持部が奥側に引き込まれ、可動板が近接した後においては、前記第１突起および第２突起は第１溝および第２溝の幅広く形成された部分にそれぞれ位置することになり、プレーヤ本体部における振動吸収のための移動が可能となる。
【０００９】
また、この発明は、前記ラック部材に設けられた係合溝と、前記ローディング機構に形成された前記係合溝に係合する突起とを備え、前記ディスク収容保持部がピックアップ対応位置に引き込まれたときに前記係合溝と前記突起が係合するように構成するとよい。
【００１０】
上記した構成によれば、前記ディスク収容保持部がピックアップ対応位置へ引き込まれた後、前記係合溝に突起が係合してローディング用連結部材のがたつきが防止できる。
【００１１】
【発明の実施の形態】
以下、この発明の実施の形態を図に基づいて説明する。
【００１２】
図１は、この発明のディスクプレーヤ１の化粧ケース部分を取り除いて内部構造を底面側から見たときの斜視図である。このディスクプレーヤ１は、外枠シャーシ２と、プレーヤ本体部３とを別体に構成し、前記外枠シャーシ２内に前記プレーヤ本体部３を配置し、これら外枠シャーシ２とプレーヤ本体部３とを４つのダンパー４…、及び４つのコイルばね５…により連結した構造になっている。
【００１３】
前記プレーヤ本体部３は、前記ダンパー４…及びコイルばね５…に連結された基台部６と、装填された光ディスク１０の面に対して接近および離間するように図のＥ−Ｆ方向に移動可能に設けられた可動板７とから成る。
【００１４】
可動板７には、スピンドルモータ７１、光ピックアップ７２、この光ピックアップ７２をディスク半径方向に案内するガイドシャフト７３、このガイドシャフト７３と平行に設けられ、前記光ピックアップが螺合するスクリューねじ７４、駆動モータ７５、及びこの駆動モータ７５の駆動力を前記スクリューねじ７４に伝達するギヤ群７６等が設けられている。
【００１５】
可動板７の両サイドに形成された立設片部７００の略中央部からそれぞれ側方に突出する支持ピン７０１には、リフター部材６６における側板部６６ａの先端部がそれぞれ係合されており、この側板部６６ａの略Ｅ−Ｆ方向の揺動動作にて、可動板７にそのＥ−Ｆ方向移動のための操作力が与えられる。リフター部材６６の詳細については後述する。また、可動板７のＥ−Ｆ方向の案内は、前記支持ピン７０１および立設片部７００の後部側に形成された突起部７０２が基台部６の両サイドの立設片部６００にそれぞれ形成されたガイド溝６０１によって行うようにしてある。そして、可動板７の略四隅には、合計４つの突起部７０５が形成されている。各突起部７０５の高さは、前記駆動モータ７５などの高さよりも高く、可動板７が図のＦ方向に移動された際、前記突起部７０５が外枠シャーシ２のうち図１の上側の部分（仮想線で示している）の内面に当接するようにしてある。
【００１６】
基台部６の奥側には、モータ機構６５が設けられている。このモータ機構６５は、モータ６５０と、ギヤ群６５１と、前記モータ６５０の始動／停止を制御する第１スイッチ６５２と、前記モータ６５０の停止を制御する第２スイッチ６５３とを備えて成る。前記スイッチ６５２，６５３のＯＮ／ＯＦＦ操作およびモータ６５０の回転により生じる動作内容については後述する。
【００１７】
図２は、図１の斜視図において前記可動板７及びモータ機構６５を取り外して示した斜視図である。前記の基台部６の底板部６０２には、ディスク収容保持部６１が図のＡ−Ｂ方向にスライド可能に設けられている。図では、ディスク収容保持部６１が最もディスク挿入口１００側に移動した状態を示している。一方、ディスク収容保持部６１が最も奥側に引き込まれた状態では、当該ディスク収容保持部６１に収容されているケース付きのミニディスク１０の情報読取窓部が前述した光ピックアップ７２に向かい合って位置するようになっている。
【００１８】
ディスク収容保持部６１は、第１板部６１０、第２板部６１１、及び裏板部６１２（図３および図４参照）から成る。裏板部６１２は、第２板部６１１とで基台部６の底板部６０２を挟み込むように設けられている。第１板部６１０には、光ディスク１０の挿入先端側の両サイドに形成された係止凹部１０ｂ，１０ｂに係合する可撓性の係止部片６１０ａ，６１０ａが形成されている。また、第２板部６１１の奥側の縁部分には、Ｃ−Ｄ方向に長い長穴６１１ａが形成されている。裏板部６１２には、図３および図４に示すように、突起６１２ａが形成されており、この突起６１２ａは、外枠シャーシ２に形成された第１溝２１に係合されている。そして、ディスク収容保持部６１におけるＡ−Ｂ方向の案内は、図２に示すように、第２板部６１１に形成された凸条部６１１ｂと、基台部６の底板部６０２に形成されたガイド溝６０２ａとの係合によって行われる。
【００１９】
基台部６の底板部６０２には、前記光ディスク１０におけるシャッタ部１０ａの係止凹部１０ｃに係合する可撓性の折り曲げ片６２およびシャッタ部１０ａのロック機構を解除するための屈曲薄片６３が設けられている。これにより、ディスク収容保持部６１が奥側に引き込まれるときに、当該ディスク収容保持部６１に収容されているミニディスク１０のシャッタ部１０ａが折り曲げ片６２にて移動規制され、この移動規制を受けつつ光ディスク１０が奥側へと更に案内されることによって、シャッタ部１０ａが開いて光ディスク１０の情報読取窓部が光ピックアップ７２に向かい合って位置することになる。
【００２０】
底板部６０２の略中央位置には、ローディング用連結部材９が、底板部６０２上に突設された軸６０２ｃにて水平回りに回動可能に設けられている。このローディング用連結部材９の回動動作により、前記ディスク収容保持部６１をディスク挿入口１００側からピックアップ対応位置へ引き込む動作（ローディング）及びピックアップ対応位置からディスク挿入口１００側へと移動させる動作（アンローディング）が行われる。
【００２１】
ローディング用連結部材９は、第１板部９１と第２板部９２と巻きばね９３とから成り、いずれも前記軸６０２ｃに嵌合されている。第２板部９２の突起９２ａは、ラック部８の第１係合溝８１１に係合している。また、第１板部９１には、前記ディスク収容保持部６１の第２板部６１１に形成された長穴６１１ａに係合する第１突起９１ａ、前記第１スイッチ６５２（図１参照）の操作を行う作動片部９１ｂ、ラック部８の第２係合溝８１２に係合する第２突起９１ｃが形成されている。そして、第１板部９１の係止片９１ｅには前記巻きばね９３の一端側が係合され、第２板部９２の係止片９２ｂには巻きばね９３の他端側が係合されている。第１板部９１は、巻きばね９３によって図の反時計回りに付勢されるが、図の状態では、第１板部９１の係止片９１ｄが第２板部９２の突起９２ａに当接し、相互に不動の状態を保っている。一方、ディスク収容保持部６１が図のＢ方向に押されると、これによって長穴６１１ａに係合している第１突起９１ａが押されることになり、ローディング用連結部材９は時計回りに回動しようとするが、第２板部９２の突起９２ａが第１係合溝８１１における回動阻止用の係合領域に係合しているため、第２板部９２は回動せず、図の仮想線で示しているように、第１板部９１のみが前記巻きばね９３の付勢に抗して図の時計回りに回動するようになっている。
【００２２】
底板部６０２の最奥側には、ラック部材８がＣ−Ｄ方向に移動可能に設けられている。このラック部材８は、ラック本体部８１と、裏板部８２（図３及び図４参照）とから成る。裏板部８２は、ラック本体部８１とで基台部６の底板部６０２を挟み込むように設けられている。裏板部８２には、図３および図４に示すように、突起８２ａが形成されており、この突起８２ａは、外枠シャーシ２に形成された第２溝２２に係合されている。
【００２３】
ラック本体部８１は、水平部と垂直部とから成る断面略Ｌ文字状の樹脂製部材である。水平部には、第１係合溝８１１および第２係合溝８１２が形成されている。第１係合溝８１１は、前記ローディング用連結部材９の回動動作を行わせるためのものであり、第２係合溝８１２は、前記ディスク収容保持部６１がピックアップ対応位置へ引き込まれた後、前記第２突起９１ｃに係合してローディング用連結部材９のがたつきを防止するためのものである。このがたつき防止作用については、後で詳述する。
【００２４】
前記垂直部の機内側の面には、ラック面８１３が形成されており、機外側の面には、階段形状を成す第３係合溝８１４（図５（ｂ）および図６（ｂ）参照）が形成されている。前記ラック面８１３は、前記モータ機構６５におけるギヤ群６５１のギヤ６５１ａ（図７参照）に歯合している。このギヤ６５１ａが回転すると、ラック部８が図のＣ−Ｄ方向に移動されることになる。そして、図５に示すように、前記第３係合溝８１４には、リフター部材６６の背板部６６ｂに形成されている突起６６ｃが、基台部６の背面側に形成されている縦長の貫通穴６０４を通して係合されている。
【００２５】
次に、図３及び図４を用いて外枠シャーシ２に関する機構について説明していく。外枠シャーシ２には、Ａ−Ｂ方向に長く形成された第１溝２１と、Ｃ−Ｄ方向に長く形成された第２溝２２とが形成されている。第１溝２１は、図のＡ方向側（ディスク挿入口１００側）においては幅狭に形成され、Ｂ方向側においては幅広に形成されている。また、第２溝２２は、図のＣ方向側においては幅狭に形成され、Ｄ方向側においては幅広に形成されている。そして、これら幅狭領域と幅広領域との間にはテーパ状をなす領域が形成されている。
【００２６】
図３はディスク収容保持部６１がディスク挿入口１００側に移動されたときのその裏板部６１２の位置およびラック部材８における裏板部８２の位置を示している。この状態のときには、外枠シャーシ２に形成された第１溝２１の幅狭く形成されている領域に裏板部６１２の突起６１２ａが係合され、また、外枠シャーシ２に形成された第２溝２２の幅狭く形成されている領域に裏板部８２の突起８２ａが係合される。従って、ラック部材８に対してＡ−Ｂ方向の移動規制、及びディスク収容保持部６１に対してＣ−Ｄ方向の移動規制がなされるので、プレーヤ本体部３は、Ａ−Ｂ方向およびＣ−Ｄ方向に移動を規制される。
【００２７】
図４はディスク収容保持部６１が奥側に移動されたときのその裏板部６１２の位置およびラック部材８における裏板部８２の位置を示している。この状態のときには、外枠シャーシ２に形成された第１溝２１の幅広く形成されている領域に裏板部６１２の突起６１２ａが位置し、また、外枠シャーシ２に形成された第２溝２２の幅広く形成されている領域に裏板部８２の突起８２ａが位置する。従って、ラック部材８に対してＡ−Ｂ方向の移動許容、及びディスク収容保持部６１に対してＣ−Ｄ方向の移動許容がなされるので、プレーヤ本体部３は、Ａ−Ｂ方向およびＣ−Ｄ方向に自由に移動可能となる。
【００２８】
次に、プレーヤ本体部３における基台部６を示している図５及び図６を用い、主にリフター部材６６に関して説明する。図５はディスク収容保持部６１がディスク挿入口１００側に移動されているときの状態を示しており、同図（ａ）は平面図、同図（ｂ）は背面図、同図（ｃ）は左側面図、同図（ｄ）は右側面図である。また、図６はディスク収容保持部６１がピックアップ対応位置に移動されているときの状態を示しており、同図（ａ）は平面図、同図（ｂ）は背面図、同図（ｃ）は左側面図、同図（ｄ）は右側面図である。なお、図６では、同図（ｃ）（ｄ）においてのみリフター部材６６を示している。
【００２９】
基台部６の両サイドの立設片部６００には、支持ピン６００ａがそれぞれ突設されている。そして、この支持ピン６００ａにリフター部材６６の側板部６６ａがそれぞれ係合しており、リフター部材６６は支持ピン６００ａを軸に回動するようになっている。リフター部材６６を回動する操作力は、前述のラック部材８のＣ−Ｄ方向の移動により与えられるようになっている。即ち、ラック部材８がＣ−Ｄ方向に移動すると、階段形状を成す第３係合溝８１４に係合されている突起６６ｃがＥ−Ｆ方向（プレーヤ本体部３の厚み方向）に移動され、突起６６ｃがＥ方向に移動されるとき（図５の状態）、リフター部材６６の側板部６６ａの先端側はＦ方向に移動し、突起６６ｃがＦ方向に移動されるとき（図６の状態）、リフター部材６６の側板部６６ａの先端側はＥ方向に移動する。
【００３０】
リフター部材６６の側板部６６ａの先端は、前述したごとく、可動板７の支持ピン７０１に係合しているので、側板部６６ａのＥ−Ｆ方向の移動にて可動板７がＥ−Ｆ方向に移動されることになる。可動板７がＦ方向に移動されたときには、プレーヤ本体部３の厚みが増大することになる。
【００３１】
次に、光ディスク１０を装填し、演奏し、取り出すまでの一連の動作について説明する。なお、ディスクの装填や取出が行われるのは、ディスク収容保持部６１がディスク挿入口１００側に移動されたときであり、このときには、可動板７はＦ方向に移動される。この状態をディスク挿入口１００側から示すと、図８に示すごとくなる。
【００３２】
光ディスク１０をディスク挿入口１００に挿入して幾分押さえ込むと、ローディング用連結部材９は図２において時計回りに回動しようとするが、第２板部９２の突起９２ａが第１係合溝８１１における回動阻止用の係合領域に係合しているため、第２板部９２は回動せず、図２の仮想線で示しているように、第１板部９１のみが前記巻きばね９３の付勢に抗して図の時計回りに回動する。第１板部９１が時計回りに回動すると、作動片部９１ｂが第１スイッチ６５２をＯＮさせる（図１参照）。
【００３３】
この第１スイッチ６５２のＯＮにより、モータ６５０が始動し、ラック部８がＤ方向に移動する。ラック部８がＤ方向に移動すると、第２板部９２の突起９２ａが第１係合溝８１１における回動阻止用の係合領域から離脱するので、ローディング用連結部材９における第１板部９１および第２板部９２が共に時計回りに回動する。この回動により、ディスク収容保持部６１が機内奥側へと自動的に引き込まれる。
【００３４】
そして、ローディング用連結部材９の時計回りの回動により、第２突起９１ｃがラック部８の第２係合溝８１２に係合する。第２突起９１ｃが第２係合溝８１２の直線領域に係合すると、ローディング用連結部材９の回動は終了し、ディスク収容保持部６１が最も奥側へと引き込まれた状態となる。
【００３５】
ここで、ラック部８に第１係合溝８１１のみを設け、第２突起９１ｃが係合する第２係合溝８１２を設けていない場合には、ディスク収容保持部６１のＡ−Ｂ方向のがたつきが大きくなる。これは、第１突起９１ａと、軸６０２ｃと、第２板部９２の突起９２ａとを結ぶ線が略９０°をなし、第２板部９２の突起９２ａは第１係合溝８１１の直線領域上ではＣ−Ｄ方向にはなんら移動規制を受けていないため、前記突起９２ａにおけるＣ−Ｄ方向の微動が許容され、且つ軸６０２ｃから突起９２ａまでの長さよりも軸６０２ｃから第１突起９１ａまでの長さの方が長いため、前記微動が拡大されて第１突起９１ａの部分においてＡ−Ｂ方向に大きながたつきを生じるためである。これに対し、この実施の形態であれば、ラック部８に第２係合溝８１２を設けてこの第２係合溝８１２に第２突起９１ｃを係合させており、第１突起９１ａと、軸６０２ｃと、第２突起９１ｃとを結ぶ線は略４５°となるようにしてあるから、第１突起９１ａの部分のＡ−Ｂ方向のがたつきは、第２突起９１ｃにおいてはそれが係合している第２係合溝８１２の溝幅方向成分を含むものとして現れ、この第２係合溝８１２がその溝幅方向の第２突起９１ｃのがたつきを規制することになるからである。つまり、突起９２ａの直径と略同一幅に第１係合溝８１１の溝幅を加工したとしても、第１係合溝８１１上での突起９２ａの移動が行われ難くなるだけでディスク収容保持部６１のがたつきを防止することが困難であるのに対し、第２係合溝８１２に第２突起９１ｃを係合させることにより、第１係合溝８１１の溝幅を突起９２ａの直径よりも幾分広くして突起９２ａの移動を行い易くしつつディスク収容保持部６１のがたつきの防止が可能となる。
【００３６】
ローディング用連結部材９がその回動を終了した後も、ラック部８はＤ方向の移動を続ける。このラック部８の移動により、ラック部８の第３係合溝８１４によってリフター部材６６の突起６６ｃはＦ方向に導かれ、従ってリフター部材６６の側板部６６ａの先端側がＥ方向に移動することになる。これにより、可動板７がＥ方向に移動し、ディスク収容保持部６１に収容されている光ディスク１０に近づき、スピンドルモータ７１が光ディスク１０の回転中心部に係合するクランプ動作が行われる。この後、ラック部８が、第２スイッチ６５３をＯＮさせる。第２スイッチ６５３のＯＮにより、モータ６５０の回転が停止される。その後、光ディスク１０がスピンドルモータ７１にて回転され、その情報が光ピックアップ７２にて読み取られる。
【００３７】
上述のごとく可動板７がＥ方向に移動したことで、プレーヤ本体部３の厚みは減少し、外枠シャーシ２に対してＥ−Ｆ方向に空間が生まれ、プレーヤ本体部３はＥ−Ｆ方向に自由に移動可能となる。また、この状態のときには、外枠シャーシ２に形成された第１溝２１の幅広く形成されている領域に裏板部６１２の突起６１２ａが係合され、また、外枠シャーシ２に形成された第２溝２２の幅広く形成されている領域に裏板部８２の突起８２ａが係合される。従って、ラック部材８に対してＡ−Ｂ方向の移動許容、及びディスク収容保持部６１に対してＣ−Ｄ方向の移動許容がなされ、プレーヤ本体部３は、Ａ−Ｂ方向およびＣ−Ｄ方向に自由に移動可能となる。
【００３８】
ディスク１０を取り出すときには、上述した動作と逆の動作が行われる。すなわち、ラック部材８は図のＣ方向に移動し、リフター部材６６の側板部６６ａの先端部がＦ方向に移動する。これにより、可動板７がＦ方向に移動されるが、側板部６６ａの先端部が最もＦ方向に移動する前に、可動板７の４つの突起部７０５…が外枠シャーシ２の内面に接触する。そして、その後における側板部６６ａの先端部のＦ方向の更なる移動により、基台部６がＥ方向に移動し、図８に示しているごとく、基台部６の面が外枠シャーシ２の内面に形成されている凸部２０１…に接触する。
【００３９】
このように、前記可動板７を光ディスク１０から離間させる動作により、当該可動板７が前記外枠シャーシ２の所定の面に接触するとともに前記基台部６が前記外枠シャーシ２の前記所定の面に対向する面に接触するため、プレーヤ本体部３は、Ｅ−Ｆ方向の移動を規制され、当該方向において外枠シャーシ２に実質的に固定支持されることになる。また、この状態のときには、外枠シャーシ２に形成されたガイド溝２１の幅狭く形成されている領域に裏板部６１２の突起６１２ａが位置し、また、外枠シャーシ２に形成されたガイド溝２２の幅狭く形成されている領域に裏板部８２の突起８２ａが位置するので、プレーヤ本体部３は、Ａ−Ｂ方向およびＣ−Ｄ方向にも移動が規制される。
【００４０】
なお、可動板７がその４つの突起部７０５にて外枠シャーシ２に接触されるため、上述のごとくプレーヤ本体部３が実質的に固定支持される際、当該プレーヤ本体部３及び可動板７自体も安定的に固定されることになる。その一方、図９に示しているように、リフター部材６６の側面板部６６ａの先端部を外枠シャーシ２に接触させてるようしても良く、これによってもプレーヤ本体部３の実質的な固定支持を行うことが可能であるが、この場合には、可動板７は外枠シャーシ２に接触しないため、可動板７自体は完全には固定されないことになる。
【００４１】
そして、前記可動板７を離接させるための機構は、比較的簡単な機構にて実現できるから、従来のような構造の複雑化は生じない。また、前記可動板７にはスピンドルモータ７１等が備えられ、当該可動板７を離接させる機構は、ディスクをクランプ等するために必要な機構であり、プレーヤ本体部３を外枠シャーシ２に実質的に支持固定するために別個に備えたものではないから、部品点数の増加を回避できる。
【００４２】
【発明の効果】
以上説明したように、この発明によれば、簡単な機構でディスクのローディング時などにおいてプレーヤ本体部を外枠シャーシに実質的に固定支持させることができるという効果を奏する。
【図面の簡単な説明】
【図１】この発明の実施の形態のディスクプレーヤの化粧ケース部分を取り除いて内部構造を底面側から見たときの斜視図である。
【図２】図１の斜視図において前記可動板及びモータ機構を取り外して示した一部破断斜視図である。
【図３】この発明の実施の形態における外枠シャーシの平面図である。
【図４】この発明の実施の形態における外枠シャーシの平面図である。
【図５】この発明の実施の形態におけるプレーヤ本体部の基台部を示す図であって、同図（ａ）は平面図であり、同図（ｂ）は背面図であり、同図（ｃ）は左側面図であり、同図（ｄ）は右側面図である。
【図６】この発明の実施の形態におけるプレーヤ本体部の基台部を示す図であって、同図（ａ）は平面図であり、同図（ｂ）は背面図であり、同図（ｃ）は左側面図であり、同図（ｄ）は右側面図である。
【図７】この発明の実施の形態におけるモータ機構部が取り付けられた基台部を示す図であって、同図（ａ）は透視平面図であり、同図（ｂ）は透視背面図である。
【図８】この発明の実施の形態におけるディスクプレーヤをその化粧外枠部分を取り除いて示した正面図である。
【図９】この発明の実施の形態の変形例を示す図であって、プレーヤ本体部の基台部の側面図である。
【符号の説明】
１    ディスクプレーヤ
２    外枠シャーシ
３    プレーヤ本体部
４    ダンパー
５    コイルばね
６    基台部
７    可動板
８    ラック部
９    ローディング用連結部材
１０  光ディスク
６１  ディスク収容保持部
６６  リフター部材
【図１】
0003553754.tif 000002
【図２】
0003553754.tif 000003
【図３】
0003553754.tif 000004
【図４】
0003553754.tif 000005
【図５】
0003553754.tif 000006
【図６】
0003553754.tif 000007
【図７】
0003553754.tif 000008
【図８】
0003553754.tif 000009
【図９】
0003553754.tif 000010